(57)【特許請求の範囲】
【請求項１】
ヘッドケースと、蓋体と、該ヘッドケースと前記蓋体との内部に回転自在に配設された回転筒と、該回転筒の内部にネジ止めされネジを締めることによって前記回転筒に装着される工具を保持するチャック筒と、を備えた歯科用ハンドピースであって、
前記蓋体が前記ヘッドケースに対して該ヘッドケースから離間する方向に付勢された状態で軸方向に移動可能かつ回転可能に設けられており、
前記ヘッドケースの内部に固定された中蓋体と、該中蓋体と前記蓋体との間に回転自在に設けられた回転ストッパ部材とを有し、
前記蓋体と前記回転ストッパ部材は弾性部材によって前記ヘッドケースから離間する方向に付勢されており、
前記蓋体を前記ヘッドケース側に押圧した際に、前記回転筒を前記ヘッドケースに対して回転不能に固定する回転筒ロック機構と、前記蓋体と前記チャック筒とを係合するチャック筒回転機構を有し、
前記回転筒ロック機構は、前記中蓋体の前記回転ストッパ部材側に設けた第１係合部と、前記回転筒の前記回転ストッパ部材側に設けた第２係合部と、前記回転ストッパ部材に設けられ、前記蓋体を前記ヘッドケース側に押すことにより前記第１係合部および前記第２係合部とそれぞれ係合可能な第３係合部および第４係合部とから構成されることを特徴とする歯科用ハンドピース。
【請求項２】
前記第１係合部および前記第２係合部は穴または溝からなり、前記第３係合部および前記第４係合部は突起からなることを特徴とする請求項１に記載の歯科用ハンドピース。
【請求項３】
前記チャック筒回転機構は、前記チャック筒の前記蓋体側に設けた第５係合部と、前記蓋体に設けられ、該蓋体を前記ヘッドケース側に押すことにより前記第５係合部と係合可能な第６係合部とから構成されることを特徴とする請求項１または２に記載の歯科用ハンドピース。
【請求項４】
前記第５係合部は角穴からなり、前記第６係合部は角柱状の突起からなることを特徴とする請求項３に記載の歯科用ハンドピース。
【発明の詳細な説明】
【技術分野】
【０００１】
本発明は歯科用ハンドピースに関し、より詳細には、工具を使用することなくバーの着脱が可能な歯科用ハンドピースに関する。
【背景技術】
【０００２】
歯科治療においては、周知のように、歯牙を切削するためのバー(歯科治療用工具)をそのヘッド部に着脱自在に装着し得るハンドピースが用いられており、ハンドピースの駆動には、エアータービンやマイクロモータが用いられている。バーをハンドピースに固定するためには、通常、チャック機構が用いられる。
【０００３】
このチャック機構は、回転筒とこの回転筒の内部に配設されるチャック筒を有しており、チャック筒の先端部に割り溝を設けて把持部を形成し、この把持部の外周面に形成したテーパ面に力を作用させることによって、把持部の径を縮径したり拡径したりすることで、チャック筒に挿入したバーを把持あるいは解放する機構となっている。
【０００４】
そして、チャック筒の把持部を縮径または拡径するために、例えば、特許文献１には、テーパ面を有しバネによって付勢される開閉スリーブを回転筒とチャック筒の間に介在させ、バネの力によって開閉スリーブのテーパ面とチャック筒のテーパ面を当接させて把持部を縮径させ、バーを把持するようにしたハンドピースが開示されている。このハンドピースでは、蓋体を介して外部からバネの付勢に抗して、開閉スリーブをチャック筒の把持部のテーパ面から遠ざけることが可能であり、蓋体を押すことによって把持部を拡径し、バーを取り外すことができる。
【０００５】
また、特許文献２には、回転筒の内周面にテーパ面を形成し、回転筒のテーパ面とチャック筒のテーパ面が当接するように回転筒の内部にチャック筒を配設し、回転筒内周面とチャック筒外周面に設けたネジを螺合させることによって、チャック筒を軸方向に進退させ、チャック筒に挿入したバーをチャック筒の把持部によって把持あるいは解放するハンドピースが開示されている。このハンドピースでは、チャック筒を軸方向に進退させるためには、外部からチャック筒の先端に設けた角穴に挿入可能な工具を用いて、チャック筒を回転させることになる。
【先行技術文献】
【特許文献】
【０００６】
【特許文献１】特開２００１−１１２７８０号公報
【特許文献２】特開昭４９−１０４４９３号公報
【発明の概要】
【発明が解決しようとする課題】
【０００７】
特許文献１に開示されたプレスチャックタイプのハンドピースでは、バーの着脱は蓋部を押すだけで可能であるため便利ではあるが、バーの把持力はバネの弾性力に依存するため、バー把持力を大きくすることはできず、確実性の点で問題があった。また、特許文献２に開示されたスクリューチャックタイプのハンドピースでは、ネジの締め付けにより高いバーの把持力を得ることができるが、特別な工具の使用が必要となるため、利便性に乏しく工具の管理負担も発生していた。
【０００８】
本発明は、これらの実情に鑑みてなされたものであり、バーの着脱に特別な工具を必要とせず、簡単に高いバー把持力が得られる歯科用ハンドピースを提供することをその目的とする。
【課題を解決するための手段】
【０００９】
上記課題を解決するために、請求項１の発明は、ヘッドケースと、蓋体と、該ヘッドケースと前記蓋体との内部に回転自在に配設された回転筒と、該回転筒の内部にネジ止めされネジを締めることによって前記回転筒に装着される工具を保持するチャック筒と、を備えた歯科用ハンドピースであって、前記蓋体が前記ヘッドケースに対して該ヘッドケースから離間する方向に付勢された状態で軸方向に移動可能かつ回転可能に設けられており、前記ヘッドケースの内部に固定された中蓋体と、該中蓋体と前記蓋体との間に回転自在に設けられた回転ストッパ部材とを有し、前記蓋体と前記回転ストッパ部材は弾性部材によって前記ヘッドケースから離間する方向に付勢されており、前記蓋体を前記ヘッドケース側に押圧した際に、前記回転筒を前記ヘッドケースに対して回転不能に固定する回転筒ロック機構と、前記蓋体と前記チャック筒とを係合するチャック筒回転機構を有し、前記回転筒ロック機構は、前記中蓋体の前記回転ストッパ部材側に設けた第１係合部と、前記回転筒の前記回転ストッパ部材側に設けた第２係合部と、前記回転ストッパ部材に設けられ、前記蓋体を前記ヘッドケース側に押すことにより前記第１係合部および前記第２係合部とそれぞれ係合可能な第３係合部および第４係合部とから構成されることを特徴とするものである。
【００１１】
請求項２の発明は、請求項１の発明において、前記第１係合部および前記第２係合部は穴または溝からなり、前記第３係合部および第４係合部は突起からなることを特徴とするものである。
【００１２】
請求項３の発明は、請求項１または２の発明において、前記チャック筒回転機構は、前記チャック筒の前記蓋体側に設けた第５係合部と、前記蓋体に設けられ、該蓋体を前記ヘッドケース側に押すことにより前記第５係合部と係合可能な第６係合部とから構成されることを特徴とするものである。
【００１３】
請求項５の発明は、請求項３の発明において、前記第５係合部は角穴からなり、前記第
６係合部は角柱状の突起からなることを特徴とするものである。
【発明の効果】
【００１４】
本発明によれば、歯科用ハンドピースにおいて、バーの着脱に特別な工具を必要とせず、簡単に高いバー把持力が得られる。これにより、使用者のバーの着脱時のストレスを軽減し、安全性を高めることができる。
【図面の簡単な説明】
【００１５】
【図１】本発明の一実施形態に係る歯科用ハンドピースの外観図である。
【図２】図１に示す歯科用ハンドピースのヘッド部の一構成例の断面図である。
【図３】図１に示す歯科用ハンドピースのチャックを開閉するための主要構成部材を一方向から見た分解斜視図である。
【図４】図１に示す歯科用ハンドピースのチャックを開閉するための主要構成部材を他の方向から見た分解斜視図である。
【図５】図１に示す歯科用ハンドピースにおいて、バーの着脱時の各構成部材の関係を説明するための図である。
【発明を実施するための形態】
【００１６】
以下、図面を参照しながら、本発明の歯科用ハンドピースに係る好適な実施形態について説明する。以下の説明において、異なる図面において同じ符号を付した構成部材は同様のものであるとして、その説明を省略する場合がある。以下の説明においては、歯科用ハンドピースとして、エアータービンを用いたものを例に説明するが、本発明の歯科用ハンドピースは、マイクロモータを用いたものであってもよい。
【００１７】
図１は、本発明の一実施形態に係る歯科用ハンドピースの外観図であり、図２は、図１に示す歯科用ハンドピースのヘッド部の一構成例の断面図である。また、図３は、図１に示す歯科用ハンドピースのチャックを開閉するための主要構成部材を一方向から見た分解斜視図であり、図４は他の方向から見た分解斜視図である。
【００１８】
図１に示す歯科用ハンドピース１は、グリップ部２およびヘッド部３を有している。グリップ部２にはエアや水などをヘッド部３に向けて供給可能なコード５が配設されており、ヘッド部３には歯科治療用工具であるバー４がヘッド部３のチャック機構によって着脱自在に装着可能になっている。
【００１９】
ヘッド部３のヘッドケース１０の内部に形成したロータ室１１には、軸方向に離間して設けた軸受２１、２２によって回転可能に軸支された円筒形状の回転筒３０が設けられている。軸受２１、２２の外輪(アウターレース)はＯリング２３、２４を介してヘッドケース１０に対して固定されており、軸受２１、２２の内輪(インナーレース)は、回転筒３０と一体に回転可能に支持されている。回転筒３０には径方向外側に向けて延びる複数の翼部を有するロータ翼２０が設けられている。
【００２０】
ヘッド部３のグリップ部２に連結する連結部には、グリップ部２に連通する給気管路１２と排気管路１３が設けられている。給気管路１２と排気管路１３とは、ロータ室１１で開口しており、フットコントローラ（図示省略）を踏み込んだ場合、給気管路１２を介して加圧エアがロータ室１１に供給され、ロータ翼２０の翼部に給気管路１２の開口部からの加圧エアが吹き付けられることによって、回転筒３０が回転するようになっている。給気された加圧エアは排気管路１３を介して外部に排気される。フットコントローラの踏み込みを止めた場合、エアの供給が停止され、回転筒３０は回転を停止する。また、ヘッド部３にはライトガイドなどを挿通するための管路１４が設けられており、バー４の先端付近に向けて開口している。
【００２１】
バー４の挿入側とは反対側のヘッドケース１０には、ロータ翼２０の上部側に中蓋体５０が固定されており、さらに、ヘッドケース１０の上部には、ヘッドケース１０を覆う蓋体７０が設けられている。蓋体７０の周辺部にはネジ７２が挿通固定されており、ネジ７２が中蓋体５０に設けた鍔部５２と当接することによって、蓋体７０がヘッドケース１０から離脱するのを防止している。また、先述した軸受２２は、中蓋体５０に固定されている。
【００２２】
回転筒３０の内部にはバー４を装着するためのチャック機構が設けられている。本実施形態のチャック機構は、回転筒３０とこの回転筒３０の内部に挿入されたチャック筒４０からなっている。チャック筒４０のバー４の装着側には割り溝４５によって複数の細片に分割された把持部４１が形成されており、この把持部４１の先端部の外周面にはテーパ面４２が形成されている。チャック筒４０の外周面の一部にはネジ溝４４が設けられており、チャック筒４０の他方の端面にはチャック筒４０を回すための角穴４３が設けられている。
【００２３】
一方、回転筒３０の内部には、チャック筒４０を収納する内壁面にチャック筒４０のテーパ面４２と対向するテーパ面３１が設けられているとともに、チャック筒４０に設けたネジ溝４４と螺号可能なネジ溝３４が設けられている。そして、バー４を把持する際は、チャック筒４０内にバー４を挿通した状態で、チャック筒４０を締め付け方向に回すことによって、チャック筒４０を軸方向下側に移動させ、テーパ面３１とテーパ面４２の作用によって把持部４１を縮径させて、把持部４１によってバー４を把持する。また、バー４を開放する際は、チャック筒４０を締め付け方向とは反対方向に回すことによって把持部４１はその弾力によって拡径し、バー４を開放する。なお、チャック筒４０を締め付けるための回転方向は、ロータ翼２０の回転方向とは逆方向になるように、チャック筒４０のネジ溝４４と回転筒３０のネジ溝３４とが形成されている。
【００２４】
上述のように、回転筒３０とチャック筒４０とから構成されるチャック機構を開閉するためには、チャック筒４０を回転筒３０に対して回転させる必要がある。回転筒３０はチャック筒４０とともに回転するため、バー４の着脱時には、回転筒３０をヘッドケース１０（または歯科用ハンドピース１）に対して回転不能に固定する必要があるとともに、回転筒３０を回転不能の状態にしたままで、チャック筒４０のみを回転操作できるようにする必要がある。以下、本実施形態において、回転筒３０をヘッドケース１０に対して回転不能に固定するための回転筒ロック機構と、回転筒３０を回転不能の状態にしたままで、チャック筒４０を回転操作できるようにするためのチャック筒回転機構について説明する。
【００２５】
本実施形態では、中蓋体５０と蓋体７０との間に、回転ストッパ部材６０が回転自在に設けられている。そして、蓋体７０と回転ストッパ部材６０とは、回転ストッパ部材６０と中蓋体５０との間に配設した弾性部材であるバネ部材８０によって、ハンドピースの使用時には、ヘッドケース１０から離れる方向（上方側）に付勢されている。蓋体７０は先述したように、ヘッドケース１０から離脱するのが防止されているが、ヘッドケース１０に対して回転可能であり、またヘッドケース１０側に軸方向に移動可能となっている。
【００２６】
そして、回転筒３０をヘッドケース１０に対して回転不能に固定するための回転筒ロック機構として、中蓋体５０の回転ストッパ部材６０側に、係合穴５１を設けているとともに、回転筒３０の回転ストッパ部材６０側にフランジ部３２を設け、このフランジ部３２の回転ストッパ部材６０側に係合溝３３を形成している。また、回転ストッパ部材６０には、中蓋体５０の係合穴５１と係合可能な係合突起６１および回転筒３０の係合溝３３と係合可能な係合突起６２を設けている。そして、蓋体７０をバネ部材８０の付勢力に抗してヘッドケース１０側に押すことにより、回転ストッパ部材６０に設けた係合突起６１および係合突起６２が、それぞれ中蓋体５０の係合穴５１および回転筒３０の係合溝３３に係合するようになっている。
【００２７】
また、蓋体７０のチャック筒４０側の中央部には、チャック筒４０の先端部に形成した角穴４３と係合可能な角柱状の突起７１を有しており、突起７１は回転ストッパ部材６０の中央部に設けた孔６３を貫通して設けられている。そして、蓋体７０をバネ部材８０の付勢力に抗してヘッドケース１０側に押すことにより、蓋体７０の突起７１がチャック筒４０の角穴４３に係合するようになっている。
【００２８】
図５は、図１に示す歯科用ハンドピースにおいて、バーの着脱時の各構成部材の関係を説明するための図であり、蓋体７０をバネ部材８０の付勢力に抗してヘッドケース１０側に押した際の各構成部材の位置関係を示している。蓋体７０をヘッドケース側に押すことによって、回転筒３０の係合溝３３に回転ストッパ部材６０の係合突起６２が係合し、同時に、中蓋体５０の係合穴５１に回転ストッパ部材６０の係合突起６１が係合する。これにより、回転筒３０は回転ストッパ部材６０を介して中蓋体５０に対して回転不能な状態で固定される。すなわち、回転筒３０の回転がロックされる。また、この回転筒３０のロック状態において、チャック筒４０の角穴４３には蓋体７０の突起７１が係合しているため、蓋体７０を回転させることによってチャック筒４０を回転筒３０に対して回転させることができる。
【００２９】
本実施形態において、中蓋体５０の係合穴５１および回転筒３０の係合溝３３が、それぞれ本願発明の第１係合部および第２係合部に相当し、回転ストッパ部材６０の係合突起６１および係合突起６２が、それぞれ本願発明の第３係合部および第４係合部に相当する。また、チャック筒４０の角穴４３が本願発明の第５係合部に相当し、蓋体７０の角柱状の突起７１が本願発明の第６係合部に相当する。そして、本発明の回転筒ロック機構は、中蓋体５０の係合穴５１と、回転筒３０の係合溝３３と、回転ストッパ部材６０の係合突起６１、係合突起６２から構成され、チャック筒回転機構は、チャック筒４０の角穴４３と蓋体７０の角柱状の突起７１から構成される。
【００３０】
以上、本発明の実施形態について説明したが、ハンドピースの使用時であって蓋体７０がヘッドケース１０から離脱する方向に付勢されている場合は、回転筒３０に回転ストッパ部材６０の係合突起６２が接触せず、かつ、チャック筒４０に蓋体７０の突起７１が接触しない状態になっている。そして、蓋体７０がヘッドケース１０から離脱した状態において、中蓋体５０に設けた係合穴５１に対して、回転ストッパ部材６０に設けた係合突起６１の一部が挿入された状態にあってもよい。この場合、蓋体７０を押して、回転筒３０の係合溝３３に回転ストッパ部材６０の係合突起６２を係合させる際に、バー４を回転させるだけで位置合わせができ、バー４の着脱をより簡単に行うことが可能となる。なお、各構成部材に設けた係合穴、係合溝と係合突起との関係は、反対であってもよい。
【符号の説明】
【００３１】
１…歯科用ハンドピース、２…グリップ部、３…ヘッド部、４…バー、５…コード、１０…ヘッドケース、１１…ロータ室、１２…給気管路、１３…排気管路、１４…管路、２０…ロータ翼、２１，２２…軸受、２３，２４…Ｏリング、３０…回転筒、３１…テーパ面、３２…フランジ部、３３…溝、３４，４４…ネジ溝、４０…チャック筒、４１…把持部、４２…テーパ面、４３…角穴、４５…割り溝、５０…中蓋体、５１…穴、５２…鍔部、６０…回転ストッパ部材、６１，６２…係合突起、６３…孔、７０…蓋体、７１…突起、７２…ネジ、８０…バネ部材。
【図１】
0006760573.tif 000002
【図２】
0006760573.tif 000003
【図３】
0006760573.tif 000004
【図４】
0006760573.tif 000005
【図５】
0006760573.tif 000006